(57)【特許請求の範囲】
【請求項１】
カード書き込み・精算装置と、カード読み取り装置付き台間玉貸機と、同カード読み取り装置付き台間玉貸機の上部に設置された紙幣受渡し装置と、パチンコ遊技機とからなり、
上記紙幣受渡し装置は、紙幣の投入または釣り銭の払出し用の紙幣投入・払出口と、紙幣の収納、送出しを行う３ウェイ紙幣スタッカと、上記紙幣投入・払出口と上記３ウェイ紙幣スタッカとの間で紙幣の搬送を行う紙幣搬送装置とからなり、上記カード読み取り装置付き台間玉貸機に繋がれて一体的に作動し、
上記カード書き込み・精算装置に紙幣を投入して貸出し玉数をカードに書き込み、必要により釣り銭を払戻しするとともに、
同カードを上記カード読み取り装置付き台間玉貸機に挿入して玉を払出し、
同カードを上記カード読み取り装置付き台間玉貸機に挿入した状態で上記紙幣受渡し装置に紙幣が投入されると、上記カード読み取り装置付き台間玉貸機が玉を払出し、釣り銭がある場合は釣り銭額を挿入状態のカードに書き込み、
上記カードに釣り銭額が残っている状態で上記カード読み取り装置付き台間玉貸機での所定操作があると、再び上記カード読み取り装置付き台間玉貸機が玉を払出し、その払出し分を挿入状態のカードの釣り銭データからマイナスし、
遊技をする場合、同カードを上記カード読み取り装置付き台間玉貸機に挿入して玉を払出すか、上記紙幣受渡し装置に紙幣を投入して玉を払出して、該遊技が開始され、
玉の払出しに対して釣り銭がある場合は、釣り銭の払戻し操作をして上記紙幣受渡し装置の上記紙幣投入・払出口から払戻すか、または、上記カード読み取り装置付き台間玉貸機に挿入したカードに釣り銭を書き込むかのいずれかが選択され、
払出した玉を用いて上記パチンコ遊技機で遊技した遊技結果についての計数を上記カード読み取り装置付き台間玉貸機が行うと、その計数結果と、釣り銭がある場合はその額とを、上記カード読み取り装置付き台間玉貸機で上記カードに書き込み、
同カードに書き込まれた遊技結果に基づいて景品交換または精算をする
ことを特徴とするパチンコ遊技システム。
【請求項２】
遊技を終了する場合は、カードをカウンターへ提出することで景品交換と釣り銭の精算をするか、カードを上記カード書き込み・精算装置に挿入して精算操作を行い、釣り銭および精算金を払出して遊技結果を精算する
ことを特徴とする請求項１記載のパチンコ遊技システム。
【請求項３】
上記カード読み取り装置付き台間玉貸機は、釣り銭がある場合に釣り銭額を表示する
ことを特徴とする請求項１または２記載のパチンコ遊技システム。
【発明の詳細な説明】
【０００１】
【発明の属する技術分野】
本発明は、カード書き込み装置あるいはカード書き込み・精算装置とカード読み取り装置付き台間玉貸機およびパチンコ遊技機を組み合わせることにより、カードを使用して遊技するとともに、景品交換または精算を行うことができるパチンコ遊技システムに関するものである。
【０００２】
【従来の技術】
従来のパチンコ遊技システムの一つに、パチンコ遊技機と玉計数機能付き台間玉貸機を組み合わせてなるパチンコ遊技システムがある。
このシステムは、パチンコ遊技機に隣接してその側方にサンドと呼ばれる台間玉貸機を設置し、この台間玉貸機にパチンコ遊技機から出た玉を計数する玉計数器を一体に設けることにより構成されるものであり、その例として実開平７−２４３９１号や特願平９−５４３５３号に示されたものが上げられる。
【０００３】
図３はその玉計数機能付き台間玉貸機を示す正面図で、同玉計数機能付き台間玉貸機２１は、パチンコ遊技機の側方に設置され、その前面には、硬貨投入口２２やカード挿入口２３、玉をパチンコ遊技機に導く玉払出ノズル２４の他に、各種の表示ランプ２５、表示器２６、操作ボタン２７等が設けられ、また下部には玉計数器２８が一体に設けられており、この玉計数器２８の前面とパチンコ遊技機の下玉受皿２９の下方位置との間に玉シュート３０が設置され、その端部に下玉受皿２９から落した玉を受ける受皿３１を設け、ここから玉シュート３０を介して玉計数器２８に玉を送って勝ち玉数を計数し、カードに書き込みできるようにしたものである。
【０００４】
しかしながら、上記したような従来のパチンコ遊技システムでは、高額紙幣の使用に際しては、その都度両替機を使って硬貨に両替する必要があり、また、遊技するためには、その都度玉計数機能付き台間玉貸機２１の硬貨投入口２２に硬貨を投入して玉の貸出しを受けなければならず、遊技の度に現金を、しかも硬貨を準備しなければならない不便さがある等の問題があった。
また、玉や現金を直接扱う機会が多いため、遊技に集中できない等の煩わしさがあり、しかも遊技の都度勝ち玉を景品交換する等により精算しなければならない等の問題があった。
【０００５】
【発明が解決しようとする課題】
本発明は、以上の問題に対処するためになされたものであり、その課題の一つは、最初に紙幣を使用することにより、以降現金や玉に直接触れることなく、玉の貸出し、遊技、遊技結果の精算を行うことができるパチンコ遊技システムを提供することにある。
また、本発明のもう一つの課題は、遊技終了時に遊技結果の勝ち玉をカードに書き込むことにより、そのまま保管することを可能にするパチンコ遊技システムを提供することにある。
本発明の更なる課題は、上記に加えて両替をすることなく、遊技機の近傍で高額紙幣を直接使用して玉を払出し、直ちに遊技を開始することができるパチンコ遊技システムを提供することにある。
【０００６】
【課題を解決するための手段】
上記した課題を解決するため、本発明にかかるパチンコ遊技システムは、カード書き込み・精算装置と、カード読み取り装置付き台間玉貸機と、同カード読み取り装置付き台間玉貸機の上部に設置された紙幣受渡し装置と、パチンコ遊技機とからなり、上記紙幣受渡し装置は、紙幣の投入または釣り銭の払出し用の紙幣投入・払出口と、紙幣の収納、送出しを行う３ウェイ紙幣スタッカと、上記紙幣投入・払出口と上記３ウェイ紙幣スタッカとの間で紙幣の搬送を行う紙幣搬送装置とからなり、上記カード読み取り装置付き台間玉貸機に繋がれて一体的に作動し、上記カード書き込み・精算装置に紙幣を投入して貸出し玉数をカードに書き込み、必要により釣り銭を払戻しするとともに、同カードを上記カード読み取り装置付き台間玉貸機に挿入して玉を払出し、同カードを上記カード読み取り装置付き台間玉貸機に挿入した状態で上記紙幣受渡し装置に紙幣が投入されると、上記カード読み取り装置付き台間玉貸機が玉を払出し、釣り銭がある場合は釣り銭額を挿入状態のカードに書き込み、上記カードに釣り銭額が残っている状態で上記カード読み取り装置付き台間玉貸機での所定操作があると、再び上記カード読み取り装置付き台間玉貸機が玉を払出し、その払出し分を挿入状態のカードの釣り銭データからマイナスし、遊技をする場合、同カードを上記カード読み取り装置付き台間玉貸機に挿入して玉を払出すか、上記紙幣受渡し装置に紙幣を投入して玉を払出して、該遊技が開始され、玉の払出しに対して釣り銭がある場合は、釣り銭の払戻し操作をして上記紙幣受渡し装置の上記紙幣投入・払出口から払戻すか、または、上記カード読み取り装置付き台間玉貸機に挿入したカードに釣り銭を書き込むかのいずれかが選択され、払出した玉を用いて上記パチンコ遊技機で遊技した遊技結果についての計数を上記カード読み取り装置付き台間玉貸機が行うと、その計数結果と、釣り銭がある場合はその額とを、上記カード読み取り装置付き台間玉貸機で上記カードに書き込み、同カードに書き込まれた遊技結果に基づいて景品交換または精算をすることができるため、遊技の都度現金や玉を扱う等の不便さを解消することができるとともに、遊技を行う際に遊技機の近傍で紙幣受渡し装置に直接高額紙幣を投入して玉の払出しと釣り銭の払戻しを行って直ちに遊技することができる。
【０００７】
また、本発明に係るパチンコ遊技システムは、請求項１記載のパチンコ遊技システムにおいて、遊技を終了する場合は、カードをカウンターへ提出することで景品交換と釣り銭の精算をするか、カードを上記カード書き込み・精算装置に挿入して精算操作を行い、釣り銭および精算金を払出して遊技結果を精算する。
さらに、本発明に係るパチンコ遊技システムは、請求項１または２記載のパチンコ遊技システムにおいて、上記カード読み取り装置付き台間玉貸機が、釣り銭がある場合に釣り銭額を表示することを特徴とするもので、その表示により釣り銭額を視認し得るようになる。
【０００８】
【発明の実施の形態】
以下に本発明の実施の形態を図１及び図２に基づいて説明する。
図１は本発明の第１の実施形態にかかるパチンコ遊技システムの構成を示す概略正面図、図２は本発明の第２の実施形態にかかるパチンコ遊技システムの構成を示す概略正面図である。
【０００９】
図１は第１の実施形態にかかるパチンコ遊技システムを示すもので、１はパチンコ遊技場内に設置されたカード書き込み装置であり、紙幣を投入して操作ボタンを選択操作することによって、貸出し玉数（書き込み金額）を書き込んだカードおよび必要により釣り銭を払出す機能を有するものである。
このカード書き込み装置１は、紙幣を投入する紙幣投入部２と、投入された紙幣の金額、書き込み金額、釣り銭の額等を表示する表示部３と、払出すカードに選択した貸出し玉数（＝書き込み金額）を書き込むための操作ボタン等を設けた操作部４と、書き込みされたカードを払出すカード払出部５と、釣り銭がある場合にそれを払出す釣り銭払出部６とを有している。
【００１０】
また、７はカード読み取り装置付き台間玉貸機で、図示されていないパチンコ遊技機の側方に設置されるものであり、カード書き込み装置１で購入したカードを挿入することによって、必要な玉数を選択して払出すことができるとともに、パチンコ遊技機で遊技した結果、勝ち玉がある場合にそれを計数してカードに書き込むことができる機能を有するものである。
【００１１】
このカード読み取り装置付き台間玉貸機７は、上記したカードを挿入するカード挿入部８と、玉数データ等を表示する表示部９と、玉の払出し操作をする玉払出ボタンやカードへの書き込み指示をする書き込みボタン等が設けられている操作部１０と、玉払出ボタンの操作により払出される玉を隣接して設置されている図示されていないパチンコ遊技機の上玉受皿に払出す玉払出ノズル１１と、水平方向に設けられ、上記のパチンコ遊技機の下玉受皿から落とされる勝ち玉を受け入れてその玉数を計数し、計数した後の玉をパチンコ島に返すとともに、計数した勝ち玉数を表示部９に表示する機能を持つ玉計数器１２とを有している。
【００１２】
しかして、この第１の実施形態にかかるパチンコ遊技システムは、図示されていないパチンコ遊技機と、上記の機能を有するカード書き込み装置１およびカード読み取り装置付き台間玉貸機７とから構成されるもので、このシステムで遊技する場合は、まずパチンコ遊技場に入って店内に設置されているカード書き込み装置１の紙幣投入部２に紙幣を投入し、操作部４の操作ボタンを選択して所望の貸出し玉数（書き込み金額）を書き込んだカードを購入し、そのカードをカード払出部５で受け取る。この間、投入された金額、カードに書き込まれた金額、釣り銭がある場合は釣り銭の額等が表示部３に表示され、釣り銭がある場合には、カードの払出しと同時に釣り銭が釣り銭払出部６に払出される。
【００１３】
カードを購入した後、遊技するパチンコ遊技機を選び、そのパチンコ遊技機に隣接して設置されているカード読み取り装置付き台間玉貸機７のカード挿入部８にカードを挿入し、カードに書き込まれている玉数データ等を表示部９に表示させた状態で、操作部１０の玉払出ボタンを操作して玉を払出す。なお、玉は設定された玉数ずつ払出されるものとする。
このようにして払出された玉は、玉払出ノズル１１からそのまま隣接のパチンコ遊技機の上玉受皿内に供給されるため、直ちにその玉を用いて遊技を開始することができる。
【００１４】
遊技結果の出玉は下玉受皿に溜まり、また大当たりする等により勝ち玉が出た場合には、パチンコ遊技機の下玉受皿から下方の玉計数器１２の受皿に玉を落とし、玉計数器１２に勝ち玉を投入することにより勝ち玉数を計数し、計数した後の玉をパチンコ島に返すとともに、計数した勝ち玉数を表示部９に表示することができる。
なお、継続して遊技したいときは、そのまま遊技を続けることができる。
【００１５】
一方、遊技を終了する場合は、上記したようにパチンコ遊技機の下玉受皿にある玉を全て玉計数器１２に落として計数した後、操作部１０の書き込みボタンを操作することにより、カード挿入部８に挿入されているカードの残り玉数データに勝ち玉数が加算されて玉数データが更新された後、カードはカード挿入部８から排出される。
そして、このカードを抜き取りカウンターへ提出することによって、景品交換等を行うことができる。
【００１６】
従って、上記の実施形態によると、最初に紙幣を使って現金をカード化することにより、以降現金や玉に直接触れることなく、玉の貸出し、遊技、遊技結果の精算（景品交換）等を行うことができるため、遊技の都度現金や玉を扱う等の不便さや煩わしさを解消することができる。
また、玉数データが更新されたカードをそのまま保管することによって、次回の遊技機会まで、勝ち玉をカードとして保管することが可能となる等、多様な使い方をすることができるようになる。
【００１７】
つぎに、図２に基づいて第２の実施形態にかかるパチンコ遊技システムを説明する。
この第２の実施形態は、第１の実施形態におけるカード書き込み装置１をカード書き込み・精算装置１Ａに置き替え、新たに遊技結果の書き込まれたカードを挿入することにより、釣り銭、精算金を払出すことができる機能を加えるとともに、高額紙幣を使用して玉の払出しを行うことができる紙幣受渡し装置１３を組み合わせてシステムを構成したものである。
【００１８】
カード書き込み・精算装置１Ａは、カード払出・挿入部５Ａに遊技結果が書き込まれたカードを挿入した上で、操作部４に設けられている精算ボタンを押すことによって遊技結果を精算し、釣り銭・精算金払出部６Ａから釣り銭および精算金を払出すことができるようにしたものである。
その他、上記したカード書き込み装置１と同様の機能を有するものとする。
【００１９】
また、紙幣受渡し装置１３は、カード読み取り装置付き台間玉貸機７内あるいはその上部等の近傍に設置されるもので、紙幣の投入または釣り銭の払出し用の紙幣投入・払出口１４と、紙幣の収納、送出しを行う３ウェイ紙幣スタッカ１５と、紙幣投入・払出口１４と３ウェイ紙幣スタッカ１５との間で紙幣の搬送を行う紙幣搬送装置１６とからなり、カード読み取り装置付き台間玉貸機７に繋がれて一体的に作動するもので、紙幣投入・払出口１４に紙幣を投入して上で、カード読み取り装置付き台間玉貸機７を操作することにより、玉を払出すことができるとともに、釣り銭がある場合はそれを必要により紙幣投入・払出口１４から払戻すか、または釣り銭額をカード挿入部８に挿入したカードに書き込む機能を有している。
【００２０】
なお、この紙幣受渡し装置１３に紙幣を投入して玉を払出す場合は、千円単位で払出すものとし、例えば一万円札を投入した場合は、千円分の玉を払出し、残りの九千円をカードに釣り銭として書き込むか、または必要により九千円を紙幣投入・払出口１４から払戻すことができるようになっている。
また、紙幣受渡し装置１３を使用する場合、カードはカード読み取り装置付き台間玉貸機７に備付けのもの、店員またはカウンターから貰ったもの、あるいは自分で持っているもの等のいずれかを使えばよい。
【００２１】
しかして、この第２の実施形態にかかるパチンコ遊技システムは、図示されていないパチンコ遊技機と、カード書き込み・精算装置１Ａと、カード読み取り装置付き台間玉貸機７および紙幣受渡し装置１３とから構成されるもので、このシステムで遊技する場合は、カード書き込み・精算装置１Ａで前記した第１の実施形態の場合と同様の方法によって所望の貸出し玉数（書き込み金額）を書き込んだカードを購入し、このカードをカード読み取り装置付き台間玉貸機７のカード挿入部８に挿入して玉を払出すか、もしくは紙幣受渡し装置１３に紙幣を投入して直接玉を払出すことによって、遊技を始めることができる。
【００２２】
紙幣受渡し装置１３は、高額の紙幣を使用することができ、投入された紙幣は紙幣搬送装置１６により３ウェイ紙幣スタッカ１５に送られ、その内部に収納される。投入された金額はカード読み取り装置付き台間玉貸機７の表示部９に表示され、カード読み取り装置付き台間玉貸機７の操作部１０で玉の払出し操作をすることによって、千円分単位で玉を玉払出ノズル１１からパチンコ遊技機の上玉受皿内に払出す。ここで、釣り銭がある場合は、釣り銭の払戻し操作をして紙幣受渡し装置１３の紙幣投入・払出口１４から払戻すか、または、カード挿入部８に挿入したカードに釣り銭を書き込み、それを表示部９に表示させるかのいずれかを選択することができる。
【００２３】
最初に払出した千円分の玉がなくなったら、操作部１０の玉払出ボタンを操作することによって再び千円分の玉を払出すことができ、このときカードの釣り銭データは千円マイナスされ、それが表示部９に表示される。
また、大当たりして勝ち玉が出た場合は、それをカード読み取り装置付き台間玉貸機７の玉計数器１２に投入することによって勝ち玉数を計数し、それを表示部９に表示することができる。
【００２４】
そして、遊技を終了する場合は、上記の場合と同様にパチンコ遊技機の下玉受皿にある玉を全て玉計数器１２に落として計数した後、操作部１０の書き込みボタンを操作することによって、カード挿入部８に挿入されているカードに、釣り銭がある場合はその額が書き込まれるとともに、カードの残り玉数データに勝ち玉数が加算されて玉数データが更新されたカードが、カード挿入部８から排出される。
この遊技結果が書き込まれたカードを抜き取りカウンターへ提出することによって、景品交換と釣り銭の精算を行うか、もしくはカード書き込み・精算装置１Ａのカード払出・挿入部５Ａに挿入して精算操作を行い、釣り銭・精算金払出部６Ａから釣り銭および精算金を払出すことによって、遊技結果を精算することができる。
【００２５】
従って、この第２の実施形態によると、第１の実施形態と同様、現金や玉に直接触れることなく、玉の貸出し、遊技、遊技結果の精算（景品交換）等を行うことができるため、遊技の都度現金や玉を扱う等の不便さや煩わしさを解消することができるとともに、勝ち玉をカードで保管することができる等、多様な使い方をすることができる他に、遊技機の近傍で紙幣受渡し装置に直接高額紙幣を投入して玉を払出し、直ちに遊技できる等の効果を期待することができる。
【００２６】
【発明の効果】
以上に説明したように、本発明にかかるパチンコ遊技システムによると、遊技の都度硬貨を準備して投入する必要がなく、最初に紙幣を使用して現金をカード化することにより、以降現金や玉に直接触れることなく、玉の貸出し、遊技、遊技結果の精算を行うことができるため、遊技の都度現金や玉を扱う等の不便さや煩わしさを解消することができる。
また、遊技終了時に遊技結果の勝ち玉をカードに書き込んでそのまま保管することが可能になる等、多様な使い方をすることができるとともに、高額紙幣でも両替することなく、遊技機の近傍の紙幣受渡し装置に直接投入して玉を払出すことにより、直ちに遊技を開始することができる。
【図面の簡単な説明】
【図１】本発明の第１の実施形態にかかるパチンコ遊技システムの構成を示す概略正面図である。
【図２】本発明の第２の実施形態にかかるパチンコ遊技システムの構成を示す概略正面図である。
【図３】従来の玉計数機能付き台間玉貸機の正面図である。
【符号の説明】
１…カード書き込み装置、１Ａ…カード書き込み・精算装置、２…紙幣投入部、３…表示部、４…操作部、５…カード払出部、５Ａ…カード払出・挿入部、６…釣り銭払出部、６Ａ…釣り銭・精算金払出部、７…カード読み取り装置付き台間玉貸機、８…カード挿入部、９…表示部、１０…操作部、１１…玉払出ノズル、１２…玉計数器、１３…紙幣受渡し装置、１４…紙幣投入・払出口、１５…３ウェイ紙幣スタッカ、１６…紙幣搬送装置
【図１】
0004354544.tif 000002
【図２】
0004354544.tif 000003
【図３】
0004354544.tif 000004